(57)【要約】【課題】着脱可能な表示装置であるパネルユニットのＩＤ情報とユーザによる設定値とを関連付けてメモリに保存する場合であっても、メモリの空き容量が大きく減らないようにする。【解決手段】表示装置が着脱可能な撮像装置は、表示装置が前記撮像装置に接続された際に、前記表示装置を識別するためのＩＤ情報を格納する第１の記憶部と、前記第１の記憶部から読み出したＩＤ情報とそのＩＤ情報に関連付けた表示に関するユーザ設定値とを格納する第２の記憶部と、前記第１の記憶部から読み出したＩＤ情報に関連付けられた前記第２の記憶部に格納された表示に関する設定値を反映する設定値反映部と、前記表示装置のＩＤ情報毎に接続されていない時間を計算する未接続時間計算部と、前記未接続時間計算部で一定時間接続されていない表示装置に関するＩＤ情報及び表示に関するユーザ設定値を前記第２の記憶部から消去する設定値消去部とを有する。【選択図】図１
2018026601.tif 000002
【特許請求の範囲】
【請求項１】
表示装置が着脱可能な撮像装置であって、
表示装置が前記撮像装置に接続された際に、前記表示装置を識別するためのＩＤ情報を格納する第１の記憶部と、
前記第１の記憶部から読み出したＩＤ情報とそのＩＤ情報に関連付けた表示に関するユーザ設定値とを格納する第２の記憶部と、
前記第１の記憶部から読み出したＩＤ情報に関連付けられた前記第２の記憶部に格納された表示に関する設定値を反映する設定値反映部と、
前記表示装置のＩＤ情報毎に接続されていない時間を計算する未接続時間計算部と、
前記未接続時間計算部で一定時間接続されていない表示装置に関するＩＤ情報及び表示に関するユーザ設定値を前記第２の記憶部から消去する設定値消去部と
を有することを特徴とする撮像装置。
【発明の詳細な説明】
【技術分野】
【０００１】
本発明は、表示装置であるパネルユニットが着脱可能な撮像装置に関する。
【背景技術】
【０００２】
被写体を撮像して映像信号を生成する撮像装置には、撮像装置からの映像信号を表示するパネルユニットが着脱可能なものがある。複数のパネルユニットからユーザの好みに合ったパネルユニットを装着することで、より自由度の高い撮像が可能になっている。しかし、接続されたパネルユニットによって特性が異なるためパネルユニットを付け替える度にシャープネス、ブライト、コントラストなどのユーザ設定値をメニューから変更する必要がある。例えば、同じユーザ設定値でも、パネルが異なればパネルの特性によって見え方が変わってきてしまう。パネルユニットを付け替える度に設定値を変えるのは時間がかかってしまう。
【０００３】
特許文献１では、コンピュータにモニタを接続した際にモニタの識別子から構成を判定して、識別子とユーザによる設定を関連付けてメモリに格納する。接続されたモニタが以前接続されたものならば以前ユーザの設定した解像度や色の深みなどの設定をメモリから反映させる。
【先行技術文献】
【特許文献】
【０００４】
【特許文献１】特開２００６−３３１９２号公報
【発明の概要】
【発明が解決しようとする課題】
【０００５】
しかしながら、特許文献１では、識別子と設定を関連付けて保存しているが、モニタの種類の数だけユーザによる設定値をメモリに格納するため、メモリの空き容量を大きく減らしてしまい、メモリを他の用途に有効利用できない可能性がある。
【０００６】
そこで、本発明は、着脱可能な表示装置であるパネルユニットのＩＤ情報とユーザによる設定値とを関連付けてメモリに保存する場合であっても、メモリの空き容量が大きく減らないようにすることを目的とする。
【課題を解決するための手段】
【０００７】
本発明に係る撮像装置は、表示装置が着脱可能な撮像装置であって、表示装置が前記撮像装置に接続された際に、前記表示装置を識別するためのＩＤ情報を格納する第１の記憶部と、前記第１の記憶部から読み出したＩＤ情報とそのＩＤ情報に関連付けた表示に関するユーザ設定値とを格納する第２の記憶部と、前記第１の記憶部から読み出したＩＤ情報に関連付けられた前記第２の記憶部に格納された表示に関する設定値を反映する設定値反映部と、前記表示装置のＩＤ情報毎に接続されていない時間を計算する未接続時間計算部と、前記未接続時間計算部で一定時間接続されていない表示装置に関するＩＤ情報及び表示に関するユーザ設定値を前記第２の記憶部から消去する設定値消去部とを有することを特徴とする。
【発明の効果】
【０００８】
本発明によれば、着脱可能な表示装置であるパネルユニットのＩＤ情報とユーザによる設定値とを関連付けてメモリに保存する場合であっても、メモリの空き容量が大きく減らないようにすることができ、メモリを他の用途に有効利用することができる。
【図面の簡単な説明】
【０００９】
【図１】実施形態１における撮像装置１００の構成の一例を説明するためのブロック図である。
【図２】実施形態１におけるＩＤ情報検出による設定値反映のフローチャートである。
【発明を実施するための形態】
【００１０】
以下、図面を参照して本発明の実施形態を説明する。ただし、本発明は以下の実施形態に限定されるものではない。
【００１１】
［実施形態１］
以下、図１及び図２を参照して、実施形態１を説明する。実施形態１における撮像装置１００は、表示装置であるパネルユニット１１０が着脱可能であり、パネルユニット１１０のＩＤ情報を検知して反映するためのユーザ設定値を撮像装置１００内のメモリに保持する時間に制限を設けて保存することができる。
【００１２】
図１は、実施形態１における撮像装置１００の構成の一例を説明するためのブロック図である。
【００１３】
撮像装置１００は、撮像部１０１、デジタル信号処理部１０２、画質調整部１０３、操作部１０４、システム制御部１０５、時間計算部１０６、メモリＡ１０７、検出部１０８などから構成され、撮像した映像を表示部１１１に表示する。また、着脱可能パネルユニット１１０のＩＤ情報を読み出し、ユーザ設定値またはデフォルト値を用いて映像信号に対して信号処理を行う。ユーザ設定値はユーザが操作部１０４で設定することができる表示に関する設定値である。
【００１４】
撮像部１０１は光学像を電気信号に変換するＣＣＤやＣＭＯＳ素子等で構成される撮像素子である。
【００１５】
デジタル信号処理部１０２は撮像部１０１からのデジタルデータに対して所定の画素補間、縮小といったリサイズ処理や色変換処理を行う。また、デジタル信号処理部１０２では、撮像した画像データを用いて所定の演算処理が行われ、得られた演算結果に基づいてシステム制御部１０５が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。
【００１６】
画質調整部１０３はシステム制御部１０５から設定値を受け取り、表示部１１１に表示する映像信号に対して設定値に応じた画質調整を行う。例えばシャープネス、ブライト、コントラストなどの調整を行う。
【００１７】
操作部１０４の各操作部材は、機能ボタンとしては、例えばメニューボタン、上下左右の４方向ボタンやＳＥＴボタン等がある。メニューボタンが押されると各種の設定可能なメニュー画面が表示部１１１に表示される。ユーザは、表示部１１１に表示されたメニュー画面と、上下左右の４方向ボタンで選択し、ＳＥＴボタンを用いて決定できる。尚、操作部１０４は、タッチパネルであってもよい。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１８】
メモリＡ１０７は例えばフラッシュメモリであり、接続されたことのあるパネルユニットのＩＤ情報、ユーザ設定値、最終接続日時を関連付けて格納している。また、各設定値のデフォルト値も格納している。
【００１９】
システム制御部１０５は、パネルユニット１１０が接続されていることを検知した際に、メモリＢ１１２からＩＤ情報を読み出してメモリＡ１０７に格納されているものであれば、ＩＤ情報に関連付けられているユーザ設定値を読み出して、画質調整部１０３とバックライトドライバ１１４に反映する。メモリＡ１０７に格納されていない新規ＩＤ情報であった場合にはデフォルト設定値を反映する。また、メニューでユーザ設定値が変更されたタイミングでメモリＡ１０７に、接続されているＩＤ情報とユーザ設定値を関連付けて格納する。
【００２０】
パネルユニット１１０が外された際と、電源ＯＦＦされた際には、時間計算部１０６から現在の日時情報を受け取り、接続されていたパネルユニット１１０のＩＤ情報と関連付けて最終接続日時として現在の日時をメモリＡ１０７に保存する。さらに、電源ＯＮされた際に時間計算部１０６から現在の日時情報を受け取り、メモリＡ１０７に格納されているＩＤ情報に関連付いた最終接続日時とＩＤ情報毎に比較する。一定時間を超えた特定ＩＤ情報があれば、特定ＩＤ情報と特定ＩＤ情報に関連付いたユーザ設定値を消去する。
【００２１】
時間計算部１０６は現在の日時を記憶しており、システム制御部１０５からパネルユニット１１０の接続情報、電源ＯＮまたはＯＦＦの情報を受け取り電源がＯＮされた際と、パネルユニット１１０の接続が外された際、電源ＯＦＦの際にシステム制御部１０５に現在の日時情報を送る。
【００２２】
検出部１０８は、撮像装置１００にパネルユニット１１０が接続されたことを検知し、システム制御部１０５に情報を送る。検知手段は、例えばメカスイッチである。
【００２３】
電源ＯＦＦスイッチ１０９は電源がＯＦＦされたことを検知し、システム制御部１０５に送る。検出手段は、例えばメカスイッチである。パネルユニット１１０は表示部１１１、メモリＢ１１２，バックライト１１３、バックライトドライバ１１４などから構成され、撮像装置１００と着脱可能であり、撮像装置１００からの映像信号を表示する例えばパネルユニットであり、個別にＩＤ情報を保持している。
【００２４】
表示部１１１は再生映像や撮像映像を表示可能な表示手段であり、例えば液晶ディスプレイである。
【００２５】
メモリＢ１１２は例えばフラッシュメモリであり、パネルユニット毎にパネルユニットのＩＤ情報を格納している。バックライト１１３は、表示部１１１の背面に有しており、バックライトドライバ１１４によって輝度の制御を行うことができる。バックライトドライバ１１４は、システム制御部１０５から送られたバックライト調整値に応じて、バックライト１１３の輝度制御を行う。
【００２６】
次に、撮像装置１００において、接続されたパネルユニット１１０のＩＤ情報と関連してユーザ設定値を反映し、ＩＤ情報及び設定値をメモリで保持する時間に制限を設けることでメモリの空き容量を大きく減らさずに、ユーザが再度設定を行う手間をなくす方法について説明する。
【００２７】
図２は、着脱可能なパネルユニット１１０を検知して設定値を反映する方法を説明するためのフローチャートである。ステップＳ２０１では、システムの電源がＯＮされているかを判定する。ＯＮされている場合には、ステップＳ２０２に進み、ＯＮされていない場合には処理を終了する。ステップＳ２０２では、システム制御部１０５が時間計算部１０６から各ＩＤ情報の現在の日時と、メモリＡ１０７から各ＩＤ情報の最終接続日時を受け取り、一定時間接続されていないＩＤ情報がないかを判定する。一定時間接続されていないＩＤ情報がない場合にはステップＳ２０４に進み、一定時間接続されていないＩＤ情報がある場合にはステップＳ２０３に進む。
【００２８】
ステップＳ２０３では、システム制御部１０５が一定時間接続されていないＩＤ情報及びＩＤ情報に関連付けられたユーザ設定値をメモリＡ１０７から消去する。ステップＳ２０４では、システム制御部１０５が検出部１０８から着脱に関する情報を受け取り、パネルユニット１１０が接続されているかを判定する。接続されている場合にはステップＳ２０５に進み、接続されていない場合には、ステップＳ２１３に進む。ステップＳ２０５はシステム制御部１０５が、メモリＢ１１２からパネルユニット１１０のＩＤ情報を受け取る。
【００２９】
ステップＳ２０６はシステム制御部１０５が接続されたパネルユニット１１０のＩＤ情報がメモリＡ１０７に格納されているかを判定する。格納されていればステップＳ２０８に進み、格納されていなければステップＳ２０７に進む。ステップＳ２０７はシステム制御部１０５が現在設定されているユーザ設定値をリセットする。メモリＡ１０７からデフォルト設定値を受け取り、画質調整部１０３及びバックライトドライバ１１４に設定値を送り、反映する。ステップＳ２０８はシステム制御部１０５がメモリＡ１０７に格納してあるＩＤ情報と関連付けられたユーザ設定値を受け取る。
【００３０】
受け取ったユーザ設定値を画質調整部１０３及びバックライトドライバ１１４に設定値を送り、反映する。ステップＳ２０９は操作部１０４でユーザによって表示に関する設定値が変更されたかを判定する。変更された場合には、ステップＳ２１０に進み、変更されていない場合にはステップＳ２１１に進む。ステップＳ２１０は現在接続されているパネルユニット１１０のＩＤ情報及びユーザ設定値を関連付けてメモリＡ１０７に保存する。
【００３１】
ステップＳ２１１はシステム制御部１０５が電源ＯＦＦスイッチ１０９から電源ＯＦＦに関する情報を受け取り、判定する。電源がＯＦＦされた場合には、ステップＳ２１２に進み、電源がＯＦＦされていない場合にはＡに進み、ステップＳ２０４に進む。ステップＳ２１２はシステム制御部１０５が時間計算部１０６から現在の日時情報を受け取り、接続されていたパネルユニット１１０のＩＤ情報に関連付けて最終接続日時としてメモリＡ１０７に保存する。ステップＳ２１３はシステム制御部１０５が検出部１０８からの情報を受け取り、直前までパネルユニット１１０が接続されていたかを判定する。
【００３２】
直前まで接続されていた場合には、ステップＳ２１４に進み、直前に接続されていなかった場合にはＡに進み、ステップＳ２０４に進む。ステップＳ２１４はシステム制御部１０５が時間計算部１０６から現在の日時情報を受け取り、接続されていたパネルユニット１１０のＩＤ情報に関連付けて最終接続日時としてメモリＡ１０７に保存する。
【００３３】
このように、実施形態１における撮像装置１００によれば、過去に接続されたパネルユニットと同じＩＤ情報のパネルユニットが接続された際に、そのパネルユニットの設定値を反映することで、パネルユニットを付け替えても画質はユーザが過去に設定した画質にすることができる。さらに、撮像装置１００において、接続されたパネルユニットのＩＤ情報と関連してユーザ設定値を反映し、ユーザ設定値をメモリＡ１０７で保持する時間に制限を設けることでメモリＡ１０７の空き容量を大きく減らさずに保持することができる。その結果、メモリＡ１０７を他の用途に有効利用することができる。
【００３４】
実施形態１では、表示部１０９に液晶ディスプレイを用いて説明したがプラズマディスプレイ、有機ＥＬディスプレイでもよい。実施形態１では、メモリＡ１０７に格納されている情報の消去までの未接続時間を一定時間としたが、この一定時間は１カ月、半年又は一年を超えない範囲でユーザが自由に決められるようにしてもよい。
【００３５】
さらに、ユーザ設定値は表示に関する設定値としたが、その他の設定に関しても同様の処理を行ってもよい。なお、本発明は上述の実施形態に限られるものではなく、本発明の要旨を逸脱しない範囲の様々な形態も本発明に含まれる。
【符号の説明】
【００３６】
１００  撮像装置
１０１  撮像部
１０２  デジタル信号処理部
１０３  画質調整部
１０４  操作部
１０５  システム制御部
１０６  時間計算部
１０７  メモリＡ
１０８  検出部
１０９  電源ＯＦＦスイッチ
１１０  パネルユニット
１１１  表示部
１１２  メモリＢ
１１３  バックライト
１１４  バックライトドライバ
【図１】
2018026601.tif 000003
【図２】
2018026601.tif 000004